(57)【要約】【課題】  短時間で所望の画像を含むサムネイル一覧表示画面に到達することが可能な画像表示装置を提供する。【解決手段】  複数のサムネイル（縮小画像）を含むサムネイル一覧表示画面をその画面頁番号とともに表示することが可能な画像表示装置において、各画面を連続的に頁送りする連続頁送り制御の実行中は、前記画面頁番号を連続的に変化させて表示するとともに、画面内に含まれるサムネイル（縮小画像）を変化させることなく、一定の画像を表示する。【選択図】  図８
2005275362.tif 000002
【特許請求の範囲】
【請求項１】
複数の画像を含む画面をその画面頁番号とともに表示することが可能な画像表示装置において、
各画面を連続的に頁送りする連続頁送り制御の実行中は、前記画面頁番号を連続的に変化させて表示するとともに、画面内に含まれる画像を変化させることなく、一定の画像を表示することを特徴とする画像表示装置。
【請求項２】
前記請求項１に記載の画像表示装置において、
前記一定の画像は、予め定められた単色画像であることを特徴とする画像表示装置。
【請求項３】
前記請求項１に記載の画像表示装置において、
前記一定の画像は、連続頁送り制御が実行される直前に表示されていた画面に含まれる画像であることを特徴とする画像表示装置。
【請求項４】
前記請求項１乃至３のいずれかに記載の画像表示装置において、
前記連続頁送り制御の実行中であることを表示することを特徴とする画像表示装置。
【請求項５】
前記請求項１乃至４のいずれかに記載の画像表示装置において、
前記連続頁送り制御の終了後に、復帰指示がなされた場合、該連続頁送り制御が実行される直前に表示されていた画面を表示することを特徴とする画像表示装置。
【請求項６】
前記請求項１乃至５のいずれかに記載の画像表示装置において、
前記少なくとも１つ以上の画像を含む画面が所定数より少ない場合は、前記連続頁送り制御を実行せず、各画面をその画面頁番号とともに１画面ずつ頁送りする次項送り制御を実行することを特徴とする画像表示装置。
【発明の詳細な説明】
【技術分野】
【０００１】
本発明は、電子化されたデジタル画像を表示することが可能な画像表示装置に関するものである。
【背景技術】
【０００２】
デジタルカメラ等で撮影された複数の画像を表示装置で見る場合、１つの画像を１画面に表示させ、画面を切換えて各画像を表示する方式や、各画像の縮小画像（サムネイル）を１画面に一覧（サムネイル一覧表示画面／インデックスマルチ画面）表示させ、画面内の複数のサムネイルから選択した画像を拡大して表示する方式が知られている（特許文献１）。
【０００３】
また、特許文献２には、複数（例えば９）画面マルチ再生モードにおいて、モードボタンにより画面送り／戻しが指示された場合、は、液晶画面に表示された９個の縮小画像（サムネイル）のすべてを一度に送りまたは戻すことによって、９個の縮小画像を送りまたは戻すためには画面送り／戻しボタンを９回操作する必要があった従来に比べ、画像の検索を迅速に行うことを可能とした画像再生装置が提案されている。
【０００４】
さらに、特許文献３には、サーチボタンが３秒以上押し続けられると、高速ページ送り（連続頁送り）モードとし、表示された原画像の次の画像に対応する簡易画像が２コマ/秒の速度で次々と表示することによって、所望の画像選択が正確且つ迅速に行えるようにした画像検索装置が提案されている。
【特許文献１】特開２００３−２０９７７１号公報
【特許文献２】特開平１０−２４３３３１号公報
【特許文献３】特開平１１−１４６３２６号公報
【発明の開示】
【発明が解決しようとする課題】
【０００５】
しかしながら、近年の記録媒体の大容量化により、一つの記録媒体に大量の画像を記録することができるようになり、サムネイルを一覧表示させた場合でも一度に閲覧できる画像数には限りがあるため、サムネイル一覧表示画面（インデックスマルチ画面）を切換えて所望の画像を探す操作が必要となる。
【０００６】
例えば、図２５、図２６に、従来のサムネイル一覧表示画面の切換え方式の一例を示す。図２５は１頁目の画面で、図２６は２頁目の画面であり、１画面に１２個のサムネイルが表示されている。画面の切換え操作により、図２５の画面から図２６の画面に切換わり、この切換え操作を繰り返すことにより、所望のサムネイル画面に到達する。
【０００７】
ところが、前記サムネイル一覧表示画面の切換えの度に、各サムネイルが再生・表示されるため、画面の切換えに時間がかかり、特に画面数が多いときはなかなか所望のサムネイルを含む画面に到達することができず、ストレスがたまるという問題があった。
【０００８】
特に、複数の画像を含むサムネイル一覧表示画面を切換える場合は、複数の縮小画像に対する再生・表示処理時間が必要であり、例えば図２５、図２６に示したような１２個の縮小画像（サムネイル）を含むサムネイル一覧表示画面を切換える場合、特許文献３に記載のもののように、サムネイル等の簡易画像を１個づつ順次再生・表示する場合に比べて、１２倍もの画面表示時間がかかることとなり、サムネイル一覧表示画面の高速ページ送り（連続頁送り）の実現が望まれていた。
【０００９】
本発明は、上記課題に鑑みてなされたものであり、短時間で所望の画像を含むサムネイル一覧表示画面に到達することが可能な画像表示装置を提供するものである。
【課題を解決するための手段】
【００１０】
本願の第１の発明は、複数の画像を含む画面をその画面頁番号とともに表示することが可能な画像表示装置において、各画面を連続的に頁送りする連続頁送り制御の実行中は、前記画面頁番号を連続的に変化させて表示するとともに、画面内に含まれる画像を変化させることなく、一定の画像を表示することを特徴とする。
【００１１】
本願の第２の発明は、前記一定の画像が、予め定められた単色画像であることを特徴とする。
【００１２】
本願の第３の発明は、前記一定の画像が、連続頁送り制御が実行される直前に表示されていた画面に含まれる画像であることを特徴とする。
【００１３】
本願の第４の発明は、前記連続頁送り制御の実行中であることを表示することを特徴とする。
【００１４】
本願の第５の発明は、前記連続頁送り制御の終了後に、復帰指示がなされた場合、該連続頁送り制御が実行される直前に表示されていた画面を表示することを特徴とする。
【００１５】
本願の第６の発明は、前記少なくとも１つ以上の画像を含む画面が所定数より少ない場合は、前記連続頁送り制御を実行せず、各画面をその画面頁番号とともに１画面ずつ頁送りする次項送り制御を実行することを特徴とする。
【発明の効果】
【００１６】
本発明の画像表示装置によれば、各画面を連続的に頁送りする連続頁送り制御の実行中は、前記画面頁番号を連続的に変化させて表示するとともに、画面内に含まれる画像を変化させることなく、一定の画像を表示するため、複数の画像を含む画面に短時間で到達することが可能となり、所望の画像を容易に探し出すことができる。
【発明を実施するための最良の形態】
【００１７】
以下、本発明の実施態様を、例えばテレビジョン受像機（テレビ）について詳細に説明するが、本発明はこれら実施の態様に何ら限定されるものではない。
【００１８】
（第１の実施の形態）
図１乃至図３は、本実施形態のサムネイル一覧表示画面（インデックスマルチ画面）の切換え方式の一例を示す説明図であり、ここでは、１２個の縮小画像（サムネイル）を含むサムネイル一覧表示画面が全部で１００頁とした場合の、１頁目、ｎ頁目、１００頁目のサムネイル一覧画面を示している。各画面の画像は複数個（図１乃至図３では１２個）単位でグループ分けされ、各グループ毎に管理するために頁番号が割当てられている。そして、リモートコントロール装置（リモコン）等の操作によって、所定の画面頁（グループ）を選択し、選択されたグループに対して、以下のような制御を行うことができる。
【００１９】
本実施形態においては、サムネイル一覧表示画面を１画面づつ順次切換えて送る方式（次頁送り／順次頁送り）に加えて、サムネイル一覧表示画面を連続的に高速で切換えて送る方式（連続頁送り／高速頁送り）を設けている。なお、送り方向に対して最終頁（図１乃至図３では１００頁または１頁）になった場合は、先頭頁（図１乃至図３では１頁または１００頁）に戻る構成となっている。
【００２０】
連続頁送り制御が実行されると、送られた画面頁番号は高速で切換わって表示されるが、送られた画面頁番号に割り当てられた（関連付けられた）画面のサムネイルは表示されずに、画面頁を連続的に切換えて送る構成である。従って、連続頁送りの実行中は、各画面に含まれる複数のサムネイルを再生・表示するための作業を行う必要がなくなり、作業時間が短縮化されるので、スムーズで迅速な頁送りを実現することができ、快適な検索操作が可能となる。
【００２１】
なお、切換わった頁番号に対応する画面のサムネイルを表示させない代わりに、連続頁送りの指示操作前の画面のサムネイルを表示させた状態を維持してもよいし、各サムネイルに対応する場所に予め決められた所定パターン画像（例えばグレー画像等の単色画像など）を表示させてもよい。このように、予め決められた所定パターン画像を表示させる制御方法であれば、次頁送りまたは連続頁送りのいずれが実行中であるかを、ユーザーに認識させることができる。
【００２２】
また、連続頁送り制御の実行中に、画面上に「ページ送り」等の表示を行う方法によっても、連続頁送りが実行中であることをユーザーに対して容易に認識させることができる。このような報知表示を行なえば、切換わった画面の画像（サムネイル）が表示されず、連続頁送りの指示操作前のサムネイル一覧表示画面の画像の表示が維持されている場合であっても、ユーザーの不安を解消することができる。
【００２３】
連続頁送り制御の実行中は、切換わった画面のサムネイルが表示されないため、画像の確認はできないが、見たい画像が含まれるおおよその画面頁番号はユーザーが過去に操作した時の記憶等で認識できる場合が多い。従って、実際の操作では、例えば、連続頁送りによって所望の画面頁の近くまで送り、その画面頁から次頁送りによって画像を確認しながら画面頁を送り、所望の画像に到達するような操作を行なうことが可能となる。とりわけ、例えば千枚程度の画像データからサムネイル表示を用いて所望の画像をいち早くサーチしたい場合等には、非常に有効な手法である。
【００２４】
一方、このような連続頁送りの操作においては、次のような課題もある。すなわち、所望の画面頁で連続頁送りを停止する場合、停止したい頁の画面で停止操作を行なうことになるが、停止操作を行なってから実際に停止するまでにタイムラグが存在するので、その間に頁がカウントされてしまい、実際に停止した頁は所望の頁よりも頁送り方向に対して進んだ頁になってしまう。
【００２５】
このタイムラグが存在しうる一例として、例えばリモコンの送り／戻しボタンを押し続けることによって連続頁送りを実行し、ボタンを押し続けることを止めることで連続頁送りを停止するような操作が、事例として挙げられる。このとき人間は、瞬間的に力を入れる動作よりも、瞬間的に入れていた力を抜く動作の方がより俊敏性に欠けるため、タイムラグが存在することになる。
【００２６】
よって、本実施形態では、このような不具合を解消するために、連続頁送り制御の実行中に表示する画面頁番号を、カウントされている番号から頁送り方向に対して所定頁数進めた番号としている。すなわち、頁送り方向がカウントアップする方向であれば、カウントされている頁番号に所定数を加算した頁番号が表示されることとなり、カウントダウンする方向であれば、カウントされている頁番号から所定数を減算した頁番号が表示されることとなる。
【００２７】
このような構成とすることにより、実際に連続頁送りが停止する画面頁をユーザの所望の画面頁に一致させることができる。なお、どれくらい送り／戻し方向に進めた頁番号を表示させるかは、テスト等を行って適当な値を決めるようにすればよいが、本実施形態では例えば１頁進めた番号を表示するようにしている。
【００２８】
図４に、本実施形態のテレビジョン受像機のブロック図を示す。まず、テレビジョン受像機の一般的な構成として、テレビ放送信号を受信する受信部１、映像処理を行なう映像処理部２、音声処理を行なう音声処理部３、映像を表示する表示部４、音声を出力するスピーカー５、連続頁送り、次頁送り等を含む全体の制御を行なうマイコン６、ＲＯＭ７、テレビジョン受像機の遠隔操作を行なうリモートコントロール装置（リモコン）８、リモコン８からの送信を受信する受光部９等から構成される。
【００２９】
本実施形態では、更にデジタルカメラ等で撮影された画像データが記録されているメモリカード等の外部メモリを挿入するカードスロット１０、メモリカード等に記録された画像データを読み取る外部メモリ制御部１１、受信部１と外部メモリ制御部１１との切替えを選択的に行い、どちらかの出力信号を映像処理部２、音声処理部３に伝送する切替部１２を有している。
【００３０】
図５に、本実施形態におけるリモコン８の外観構成図を示す。リモコン８は、テレビジョン受像機の電源のオン・オフを指示入力する電源ボタン１３、メニュー画面の表示を指示入力するメニューボタン１４、テレビジョン受像機の入力切換を行なう入力切換ボタン１５、「１」〜「１２」のキーで構成されたチャンネル選局ボタン１６、表示部４に表示される画面の操作を行なう操作ボタン１７等で構成される。
【００３１】
メモリカード等に記録された画像を表示部４に表示させる手順を図６のフローチャート、図７の表示部４の画面に基づいて説明する。図６において、まず、電源ボタン１３を押して電源をオンにして（Ｓ１）、メニューボタン１４を押す（Ｓ２）と、図７のメニュー１８が表示される（Ｓ３）。操作ボタン１７の上下左右方向を指示する方向指示ボタン１７ａ、１７ｂ、１７ｃ、１７ｄにより、表示部４に表示されたメニュー１８内の項目の選択を行なうことができ、真中に配置された決定ボタン１７ｅにより選択された項目の決定を行なうことができる。
【００３２】
操作ボタン１７により、図７のメニュー１８の「カード設定」を選択、決定すると、メニュー１９がサブメニュー画面として表示される。ここで、メニュー１９の「静止画設定」を選択、決定することによって（Ｓ４）、静止画モードとなり、切替部１２を介してメモリカード等の画像の表示を行なうことができる（Ｓ５）。なお、リモコン８の入力切換ボタン１５を押して、「カード設定」のモードを選択することもできる。
【００３３】
次に、画像の表示制御操作について、図８のフローチャートに基づいて説明する。図８において、まず、表示部４の画面上で「１画面表示」を行うか「サムネイル表示」を行うかを選択することができる（Ｓ１１）。「サムネイル表示」を選択、決定すると、外部メモリ制御部１１、マイコン６で、各画像データが複数個の単位でグループ化され、複数のグループを管理するために各グループに画面頁番号を割り当てる画像管理の処理が行なわれ、次いで所定の画面頁番号が選択されてサムネイルの一覧表示画面が表示される（Ｓ１２）。
【００３４】
さらに、方向指示ボタン１７ｄを押すと（Ｓ１３）、押されている時間を計測する計測タイマが作動し（Ｓ１４）、計測時間が所定時間以上になると（Ｓ１５）、連続頁送り制御が実行され、送られた頁番号に対応する画面のサムネイルは表示されずに、頁番号が連続的にカウント処理されて、カウントされた頁番号よりも頁送り方向に対して例えば一頁先行した頁番号が表示される（Ｓ１６）。なお、前述したように、連続頁送りを指示する操作前の画面に含まれるサムネイル表示を維持したままにしてもよいし、サムネイルの代わりに予めＲＯＭ７に記憶されたグレー画像等を読み込んで表示させても良いし、「ページ送り」等の報知表示を併せて行なってもよい。
【００３５】
Ｓ１７で方向指示ボタン１７ｄが押されているか否かが判定され、方向指示ボタン１７ｄが継続して押されている間は連続頁送り制御の実行が継続され、方向指示ボタン１７ｄの押下が停止されると連続頁送り制御は終了し、その時点で最後にカウントされた頁番号を表示し、その頁番号に対応する画面のサムネイルを再生・表示する（Ｓ１８）。
【００３６】
Ｓ１５、Ｓ１９にて、計測時間が所定時間より短いと判断された場合は、次頁送り制御が実行され、次頁の頁番号とサムネイルとが画面内に表示される（Ｓ２０）。このように、方向指示ボタン１７ｄの操作だけで、連続頁送りと次頁送りとの両方の指示操作を行うことが可能であるため、操作ボタンの数を増やすことなく、操作部を小型化することができる。勿論、次頁送り（順次頁送り）のための操作ボタンと連続頁送り（高速頁送り）のための操作ボタンとを個別に設けてもかまわない。
【００３７】
なお、Ｓ１１にて、「１画面表示」が選択、決定された場合は、１つの画像が１画面に表示され（Ｓ２１）、その後の頁送りは、Ｓ１３〜Ｓ２０のフローと同様の操作で行なうことができる。また、例えば方向指示ボタン１７ｃが押された場合は、画面頁が戻る方向に頁送り操作が行なわれる構成であり、その際もＳ１３〜Ｓ２０のフローと同様の操作で行なうことができる。なお、各操作ボタンは、テレビジョン受像機本体に設けてもよいことは言うまでもない。
【００３８】
また、上記の説明は、本発明をテレビジョン装置に適用した例であるが、本発明はこれに限定されるものではなく、電子カメラや電子ブック装置などのように、電子化された画像の表示制御を行なうことが可能な画像表示装置の全てに適用することが可能である。
【００３９】
さらに、サムネイル一覧表示画面（インデックスマルチ画面）に表示する画像データは、外部のメモリカードから読み出したものに限らず、内蔵のメモリや記憶媒体に格納されている画像データや、ネットワーク等を介して外部より取得可能な画像データであっても良いことは明らかである。また、サムネイル一覧表示画面（インデックスマルチ画面）に表示する画像の種類としては、静止画像に限らず、動画像やテキストなどを含む種々の画像であってもよい。
【００４０】
以上のように、本実施形態にかかる電子画像表示制御方法は、複数の電子化された画像をグループ分けし、各グループを頁単位で管理するための頁番号を割り当てる画像管理工程と、所定操作を実行する操作工程と、前記操作工程の操作に基づき、所定の制御を指示する指示工程と、前記指示工程の指示に基づいて、各グループに対し割り当てられた頁番号と記憶もしくは記録された所定画像を表示する制御工程とを有し、前記指示工程で指示された前記所定の制御が連続頁送り制御の場合、前記制御工程は、前記頁番号のカウント処理を行い、前記カウント処理に基づいた頁番号を連続的に表示するとともに、前記所定画像として当該頁番号に関連付けされた電子化された画像以外の所定パターン画像を表示するものである。
【００４１】
また、前記画像管理工程は、前記各グループが複数の電子化された画像を含むようにグループ分けするようにしてもよいし、前記各グループが１つの電子化された画像を含むようにグループ分けするようにしてもよい。
【００４２】
さらに、前記操作工程では、第１操作または第２操作のいずれかが実行され、前記指示工程は、前記操作工程で実行された操作が前記第１操作か前記第２操作かを判定する判定工程を有し、前記判定工程において、前記第１操作と判定された場合は前記連続頁送り制御を指示し、前記第２操作と判定された場合は次頁の画面に切換える次頁送り制御を指示し、前記制御工程は、前記指示工程の指示に基づいて前記連続頁送り制御または前記次頁送り制御のいずれかを実行するようにしてもよい。
【００４３】
また、前記操作工程の前記所定操作は、スイッチの作動操作によって実行され、前記判定工程は、前記作動操作が所定時間を超えない場合は前記第２操作と判定し、前記作動操作が所定時間以上継続する場合は前記第１操作と判定するようにしてもよい。
【００４４】
さらに、前記制御工程は、前記連続頁送り制御の実行中、前記所定パターン画像としてグレー画像を表示するようにしてもよいし、前記連続頁送り制御の実行中、連続頁送り中であることを認識できる表示を行なうようにしてもよい。
【００４５】
そしてまた、前記制御工程は、前記連続頁送り制御の実行中、前記カウント処理でカウントしている頁番号より頁送り方向に対して所定数進めた番号を表示するようにしてもよい。
【００４６】
同様に、本実施形態にかかる電子画像表示システムは、表示手段と、記録又は記憶媒体に保存された複数の電子化された画像を読取る読取手段と、前記読取手段で読取った画像をグループ分けし、各グループを頁単位で管理するための頁番号を割り当てる画像管理手段と、所定操作が実行される操作手段と、前記操作手段の操作に基づき、所定の制御を指示する指示手段と、前記指示手段の指示に基づいて、各グループに対し割り当てられた頁番号と記憶もしくは記録された所定画像を前記表示手段に表示する制御手段とを有し、前記指示手段で指示された前記所定の制御が連続頁送り制御の場合、前記制御手段は、前記頁番号のカウント処理を行い、前記カウント処理に基づいた頁番号を連続的に表示するとともに、前記所定画像として当該頁番号に関連付けされた電子化された画像以外の所定パターン画像を表示するものである。
【００４７】
また、前記電子画像表示システムは、テレビジョン放送信号を受信する受信手段と、前記読取手段からの画像信号または前記受信手段からの画像信号のいずれかを前記表示手段へ伝送するように切替を行なう切替手段と、前記指示手段の指示に基づいて、前記読取手段からの画像信号を前記表示手段へ伝送するように前記切替手段を制御する切替制御手段とを備えたものである。
【００４８】
さらに、前記画像管理手段は、前記各グループが複数の電子化された画像を含むようにグループ分けするようにしてもよいし、前記各グループが１つの電子化された画像を含むようにグループ分けするようにしてもよい。
【００４９】
また、前記操作手段の前記所定操作として、第１操作または第２操作が実行され、前記指示手段は、前記操作手段で実行された操作が前記第１操作か前記第２操作かを判定する判定手段を有し、前記判定手段において、前記第１操作と判定された場合は前記連続頁送り制御を指示し、前記第２操作と判定された場合は次頁の画面に切換える次頁送り制御を指示し、前記制御手段は、前記指示手段の指示に基づいて前記連続頁送り制御または前記次頁送り制御のいずれかを実行するようにしてもよい。
【００５０】
さらに、前記操作手段の前記所定操作は、スイッチの作動操作によって実行され、前記判定手段は、前記作動操作が所定時間を超えない場合は前記第２操作と判定し、前記作動操作が所定時間以上継続する場合は前記第１操作と判定するようにしてもよい。
【００５１】
そしてまた、前記制御手段は、前記連続頁送り制御の実行中、前記所定パターン画像としてグレー画像を表示するようにしてもよいし、前記連続頁送り制御の実行中、連続頁送り中であることを認識できる表示を行なうようにしてもよい。
【００５２】
さらに、前記制御手段は、前記連続頁送り制御の実行中、前記カウント処理でカウントしている頁番号より頁送り方向に対して所定数進めた番号を表示するようにしてもよい。
【００５３】
本実施形態によれば、上述のとおり、連続頁送りの機能を設けたことにより、見たい画像を短時間で容易に探し出すことができる電子画像表示制御方法及び電子画像表示システムを提供することができる。
【００５４】
また、連続頁送りの実行中に、各頁の画像データを表示することが無く連続頁送りが迅速に処理されるので、快適な操作性を有する電子画像表示制御方法及び電子画像表示システムを提供することができる。
【００５５】
さらに、連続頁送りと次頁送りを一つの操作手段で操作可能としたことにより、部品点数を増やさずに多くの操作機能を有した電子画像表示制御方法及び電子画像表示システムを提供することができる。
【００５６】
そしてまた、連続頁送りの実行中に、所定パターン画像（例えばグレー画像）や連続頁送り中であることを認識できる表示を行なうことにより、ユーザーは連続頁送りが実行中であることを容易に認識することができる。
【００５７】
さらに、連続頁送りの実行中に、カウント処理されている頁番号よりも送り方向に対して先行した番号を画面上に連続表示することにより、ユーザーが行なう連続頁送りの終了操作時のボタン解放操作等の俊敏性に合わせて、ユーザーが見たい画像を的確に表示させることができる。
【００５８】
（第２の実施の形態）
次に、本発明の第２の実施形態について詳細に説明するが、上記本発明の第１の実施形態と同一部分には同一符号を付し、その説明は省略する。図９乃至図１１は、本実施形態のサムネイル一覧表示画面（インデックスマルチ画面）の切換え方式の一例を示す説明図であり、ここでは、１２個の縮小画像（サムネイル）を含むサムネイル一覧表示画面が全部で１００頁とした場合の、１頁目、ｎ頁目、１００頁目のサムネイル一覧画面を示している。各画面の画像は複数個（図１乃至図３では１２個）単位でグループ分けされ、各グループ毎に管理するために頁番号が割当てられている。そして、リモートコントロール装置（リモコン）等の操作によって、所定の画面頁（グループ）を選択し、選択されたグループに対して、以下のような制御を行うことができる。
【００５９】
本実施形態においては、サムネイル一覧表示画面を１画面づつ順次切換えて送る方式（次頁送り／順次頁送り）に加えて、サムネイル一覧表示画面を連続的に高速で切換えて送る方式（連続頁送り／高速頁送り）を設けている。なお、送り方向に対して最終頁（図９乃至図１１では１００頁または１頁）になった場合は、先頭頁（図９乃至図１１では１頁または１００頁）に戻る構成となっている。
【００６０】
連続頁送り制御が実行されると、送られた画面頁番号は高速で切換わって表示されるが、送られた画面頁番号に割り当てられた（関連付けられた）画面のサムネイルは表示されずに、画面頁を連続的に切換えて送る構成である。従って、連続頁送りの実行中は、各画面に含まれる複数のサムネイルを再生・表示するための作業を行う必要がなくなり、作業時間が短縮化されるので、スムーズで迅速な頁送りを実現することができ、快適な検索操作が可能となる。
【００６１】
また、連続頁送りの終了後に、連続頁送り制御が開始される前の画面に戻って、再度操作をやり直したい場合等は、復帰手段の操作により連続頁送り開始直前に表示されていた画面を表示することができる。従って、当該画面の画面頁番号を覚えていなくても、簡単な操作で連続頁送りの開始前の画面に戻ることができる。
【００６２】
なお、切換わった頁番号に対応する画面のサムネイルを表示させない代わりに、連続頁送りの指示操作前の画面のサムネイルを表示させた状態を維持してもよいし、各サムネイルに対応する場所に予め決められた所定パターン画像（例えばグレー画像等の単色画像など）を表示させてもよい。このように、予め決められた所定パターン画像を表示させる制御方法であれば、次頁送りまたは連続頁送りのいずれが実行中であるかを、ユーザーに認識させることができる。
【００６３】
また、連続頁送り制御の実行中に、画面上に「ページ送り」等の表示を行う方法によっても、連続頁送りが実行中であることをユーザーに対して容易に認識させることができる。このような報知表示を行なえば、切換わった画面の画像（サムネイル）が表示されず、連続頁送りの指示操作前のサムネイル一覧表示画面の画像の表示が維持されている場合であっても、ユーザーの不安を解消することができる。
【００６４】
連続頁送り制御の実行中は、切換わった画面のサムネイルが表示されないため、画像の確認はできないが、見たい画像が含まれるおおよその画面頁番号はユーザーが過去に操作した時の記憶等で認識できる場合が多い。従って、実際の操作では、例えば、連続頁送りによって所望の画面頁の近くまで送り、その画面頁から次頁送りによって画像を確認しながら画面頁を送り、所望の画像に到達するような操作を行なうことが可能となる。とりわけ、例えば千枚程度の画像データからサムネイル表示を用いて所望の画像をいち早くサーチしたい場合等には、非常に有効な手法である。
【００６５】
一方、このような連続頁送りの操作においては、次のような課題もある。すなわち、所望の画面頁で連続頁送りを停止する場合、停止したい頁の画面で停止操作を行なうことになるが、停止操作を行なってから実際に停止するまでにタイムラグが存在するので、その間に頁がカウントされてしまい、実際に停止した頁は所望の頁よりも頁送り方向に対して進んだ頁になってしまう。
【００６６】
このタイムラグが存在しうる一例として、例えばリモコンの送り／戻しボタンを押し続けることによって連続頁送りを実行し、ボタンを押し続けることを止めることで連続頁送りを停止するような操作が、事例として挙げられる。このとき人間は、瞬間的に力を入れる動作よりも、瞬間的に入れていた力を抜く動作の方がより俊敏性に欠けるため、タイムラグが存在することになる。
【００６７】
よって、本実施形態では、このような不具合を解消するために、連続頁送り制御の実行中に表示する画面頁番号を、カウントされている番号から頁送り方向に対して所定頁数進めた番号としている。すなわち、頁送り方向がカウントアップする方向であれば、カウントされている頁番号に所定数を加算した頁番号が表示されることとなり、カウントダウンする方向であれば、カウントされている頁番号から所定数を減算した頁番号が表示されることとなる。
【００６８】
このような構成とすることにより、実際に連続頁送りが停止する画面頁をユーザの所望の画面頁に一致させることができる。なお、どれくらい送り／戻し方向に進めた頁番号を表示させるかは、テスト等を行って適当な値を決めるようにすればよいが、本実施形態では例えば１頁進めた番号を表示するようにしている。
【００６９】
図１２に、本実施形態のテレビジョン受像機のブロック図を示す。まず、テレビジョン受像機の一般的な構成として、テレビ放送信号を受信する受信部１、映像処理を行なう映像処理部２、音声処理を行なう音声処理部３、映像を表示する表示部４、音声を出力するスピーカー５、連続頁送り、次頁送り等を含む全体の制御を行なうマイコン６、ＲＯＭ７、テレビジョン受像機の遠隔操作を行なうリモートコントロール装置（リモコン）８、リモコン８からの送信を受信する受光部９等から構成される。
【００７０】
本実施形態では、更にデジタルカメラ等で撮影された画像データが記録されているメモリカード等の外部メモリを挿入するカードスロット１０、メモリカード等に記録された画像データを読み取る外部メモリ制御部１１、受信部１と外部メモリ制御部１１との切替えを選択的に行い、どちらかの出力信号を映像処理部２、音声処理部３に伝送する切替部１２を有している。
【００７１】
図１３に、本実施形態におけるリモコン８の外観構成図を示す。リモコン８は、テレビジョン受像機の電源のオン・オフを指示入力する電源ボタン１３、メニュー画面の表示を指示入力するメニューボタン１４、テレビジョン受像機の入力切換を行なう入力切換ボタン１５、「１」〜「１２」のキーで構成されたチャンネル選局ボタン１６、表示部４に表示される画面の操作を行なう操作ボタン１７、連続頁送りの開始前の画面に戻すための戻るボタン２８等で構成される。
【００７２】
メモリカード等に記録された画像を表示部４に表示させる手順を図１４のフローチャート、図１５の表示部４の画面に基づいて説明する。図１４において、まず、電源ボタン１３を押して電源をオンにして（Ｓ１）、メニューボタン１４を押す（Ｓ２）と、図１５のメニュー１８が表示される（Ｓ３）。操作ボタン１７の上下左右方向を指示する方向指示ボタン１７ａ、１７ｂ、１７ｃ、１７ｄにより、表示部４に表示されたメニュー１８内の項目の選択を行なうことができ、真中に配置された決定ボタン１７ｅにより選択された項目の決定を行なうことができる。
【００７３】
操作ボタン１７により、図７のメニュー１８の「カード設定」を選択、決定すると、メニュー１９がサブメニュー画面として表示される。ここで、メニュー１９の「静止画設定」を選択、決定することによって（Ｓ４）、静止画モードとなり、切替部１２を介してメモリカード等の画像の表示を行なうことができる（Ｓ５）。なお、リモコン８の入力切換ボタン１５を押して、「カード設定」のモードを選択することもできる。
【００７４】
次に、画像の表示制御操作について、図１６のフローチャートに基づいて説明する。図１６において、まず、表示部４の画面上で「１画面表示」を行うか「サムネイル表示」を行うかを選択することができる（Ｓ１１）。「サムネイル表示」を選択、決定すると、外部メモリ制御部１１、マイコン６で、各画像データが複数個の単位でグループ化され、複数のグループを管理するために各グループに画面頁番号を割り当てる画像管理の処理が行なわれ、次いで所定の画面頁番号が選択されてサムネイルの一覧表示画面が表示される（Ｓ１２）。
【００７５】
さらに、方向指示ボタン１７ｄを押すと（Ｓ１３）、押されている時間を計測する計測タイマが作動し（Ｓ１４）、その時に表示されている画面の頁番号が記憶される（Ｓ１５）。計測時間が所定時間以上になると（Ｓ１６）、連続頁送り制御が実行され、送られた頁番号に対応する画面のサムネイルは表示されずに、頁番号が連続的にカウント処理されて、カウントされた頁番号よりも頁送り方向に対して例えば一頁先行した頁番号が表示される（Ｓ１７）。なお、前述したように、連続頁送りを指示する操作前の画面に含まれるサムネイル表示を維持したままにしてもよいし、サムネイルの代わりに予めＲＯＭ７に記憶されたグレー画像等を読み込んで表示させても良いし、「ページ送り」等の報知表示を併せて行なってもよい。
【００７６】
Ｓ１８で方向指示ボタン１７ｄが押されているか否かが判定され、方向指示ボタン１７ｄが継続して押されている間は連続頁送り制御の実行が継続され、方向指示ボタン１７ｄの押下が停止されると連続頁送り制御は終了し、その時点で最後にカウントされた頁番号を表示し、その頁番号に対応する画面のサムネイルを再生・表示する（Ｓ１９）。
【００７７】
連続頁送り制御の終了後、戻るボタン２８が押された場合は（Ｓ２０）、Ｓ１５で記憶された頁番号の画面に戻り、該画面のサムネイルを表示する（Ｓ２１）。なお、ここでは、戻るボタン２８の操作により表示される画面は、方向指示ボタン１７ｄが押下された時に表示されていた画面である。従って、例えば連続頁送りが複数回実行された場合は、戻るボタン２８の操作により表示される画面は、最新の連続頁送り制御の開始前に表示されていた画面となる。
【００７８】
一方、連続頁送りが複数回実行された場合であっても、戻るボタン２８の操作により表示される画面を、常に最初の連続頁送りの開始前に表示されていた画面とすることもできる。その場合は、図１６におけるＳ１５の処理を、Ｓ１２で行うように構成すればよい。
【００７９】
また、図１６のフローチャートでは、戻るボタン２８の操作により表示される画面の頁番号は、連続頁送りの実行開始前に記憶される構成であるが、例えば、連続頁送りの実行終了時の頁番号からカウント数を減算して求めるような構成にしてもよい。
【００８０】
Ｓ１６、Ｓ２２にて、計測時間が所定時間より短いと判断された場合は、次頁送り制御が実行され、次頁の頁番号とサムネイルとが画面内に表示される（Ｓ２３）。このように、方向指示ボタン１７ｄの操作だけで、連続頁送りと次頁送りとの両方の指示操作を行うことが可能であるため、操作ボタンの数を増やすことなく、操作部を小型化することができる。勿論、次頁送り（順次頁送り）のための操作ボタンと連続頁送り（高速頁送り）のための操作ボタンとを個別に設けてもかまわない。
【００８１】
なお、Ｓ１１にて、「１画面表示」が選択、決定された場合は、１つの画像が１画面に表示され（Ｓ２４）、その後の頁送りは、Ｓ１３〜Ｓ２３のフローと同様の操作で行なうことができる。また、例えば方向指示ボタン１７ｃが押された場合は、画面頁が戻る方向に頁送り操作が行なわれる構成であり、その際もＳ１３〜Ｓ２３のフローと同様の操作で行なうことができる。なお、各操作ボタンは、テレビジョン受像機本体に設けてもよいことは言うまでもない。
【００８２】
また、上記の説明は、本発明をテレビジョン装置に適用した例であるが、本発明はこれに限定されるものではなく、電子カメラや電子ブック装置などのように、電子化された画像の表示制御を行なうことが可能な画像表示装置の全てに適用することが可能である。
【００８３】
さらに、サムネイル一覧表示画面（インデックスマルチ画面）に表示する画像データは、外部のメモリカードから読み出したものに限らず、内蔵のメモリや記憶媒体に格納されている画像データや、ネットワーク等を介して外部より取得された画像データであっても良いことは明らかである。また、サムネイル一覧表示画面（インデックスマルチ画面）に表示する画像の種類としては、静止画像に限らず、動画像やテキストなどを含む種々の画像であってもよい。
【００８４】
以上のように、本実施形態にかかる電子画像表示制御方法は、複数の電子化された画像をグループ分けし、各グループを頁単位で管理するための頁番号を割り当てる画像管理工程と、所定操作を実行する操作工程と、前記操作工程の操作に基づき、所定の制御を指示する指示工程と、復帰制御を指示する復帰工程と、前記指示工程または前記復帰工程の指示に基づいて、各グループに対し割り当てられた頁番号と記憶もしくは記録された所定画像を表示する制御工程とを有し前記指示工程で指示された前記所定の制御が連続頁送り制御の場合、前記制御工程は、前記頁番号のカウント処理を行い、前記カウント処理に基づいた頁番号を連続的に表示するとともに、前記所定画像として当該頁番号に関連付けされた電子化された画像以外の所定パターン画像を表示し、前記連続頁送り制御の終了後、前記制御工程は、前記復帰工程の指示に基づいて、前記連続頁送り制御の開始前に表示されていた頁番号と当該頁番号に関連付けされた電子化された画像を表示するものである。
【００８５】
また、前記操作工程の操作に基づいて、表示されている頁番号を記憶する記憶工程を有し、前記制御工程は、前記復帰工程の指示に基づいて前記記憶工程で記憶された頁番号と当該頁番号に関連付けされた電子化された画像を表示するようにしてもよい。
【００８６】
さらに、前記画像管理工程は、前記各グループが複数の電子化された画像を含むようにグループ分けするようにしてもよいし、前記各グループが１つの電子化された画像を含むようにグループ分けするようにしてもよい。
【００８７】
そしてまた、前記操作工程では、第１操作または第２操作のいずれかが実行され、前記指示工程は、前記操作工程で実行された操作が前記第１操作か前記第２操作かを判定する判定工程を有し、前記判定工程において、前記第１操作と判定された場合は前記連続頁送り制御を指示し、前記第２操作と判定された場合は次頁の画面に切換える次頁送り制御を指示し、前記制御工程は、前記指示工程の指示に基づいて前記連続頁送り制御または前記次頁送り制御のいずれかを実行するようにしてもよい。
【００８８】
さらに、前記操作工程の前記所定操作は、スイッチの作動操作によって実行され、前記判定工程は、前記作動操作が所定時間を超えない場合は前記第２操作と判定し、前記作動操作が所定時間以上継続する場合は前記第１操作と判定するようにしてもよい。
【００８９】
また、前記制御工程は、前記連続頁送り制御の実行中、前記所定パターン画像としてグレー画像を表示するようにしてもよいし、前記連続頁送り制御の実行中、連続頁送り中であることを認識できる表示を行なうようにしてもよい。
【００９０】
さらに、前記制御工程は、前記連続頁送り制御の実行中、前記カウント処理でカウントしている頁番号より頁送り方向に対して所定数進めた番号を表示するようにしてもよい。
【００９１】
同様に、本実施形態にかかる電子画像表示システムは、表示手段と、記録又は記憶媒体に保存された複数の電子化された画像を読取る読取手段と、前記読取手段で読取った画像をグループ分けし、各グループを頁単位で管理するための頁番号を割り当てる画像管理手段と、所定操作が実行される操作手段と、前記操作手段の操作に基づき、所定の制御を指示する指示手段と、復帰制御を指示する復帰手段と、前記指示手段または前記復帰手段の指示に基づいて、各グループに対し割り当てられた頁番号と記憶もしくは記録された所定画像を前記表示手段に表示する制御手段とを有し、前記指示手段で指示された前記所定の制御が連続頁送り制御の場合、前記制御手段は、前記頁番号のカウント処理を行い、前記カウント処理に基づいた頁番号を連続的に表示するとともに、前記所定画像として当該頁番号に関連付けされた電子化された画像以外の所定パターン画像を表示し、前記連続頁送り制御の終了後、前記制御手段は、前記復帰手段の指示に基づいて、前記連続頁送り制御の開始前に表示されていた頁番号と当該頁番号に関連付けされた電子化された画像を表示するものである。
【００９２】
また、前記操作手段の操作に基づいて、表示されている頁番号を記憶する記憶手段を有し、前記制御手段は、前記復帰手段の指示に基づいて前記記憶手段に記憶された頁番号と当該頁番号に関連付けされた電子化された画像を表示するようにしてもよい。
【００９３】
さらに、前記電子画像表示システムは、テレビジョン放送信号を受信する受信手段と、前記読取手段からの画像信号または前記受信手段からの画像信号のいずれかを前記表示手段へ伝送するように切替を行なう切替手段と、前記指示手段の指示に基づいて、前記読取手段からの画像信号を前記表示手段へ伝送するように前記切替手段を制御する切替制御手段とを備えたものである。
【００９４】
そしてまた、前記画像管理手段は、前記各グループが複数の電子化された画像を含むようにグループ分けするようにしてもよいし、前記各グループが１つの電子化された画像を含むようにグループ分けするようにしてもよい。
【００９５】
さらに、前記操作手段の前記所定操作として、第１操作または第２操作が実行され、前記指示手段は、前記操作手段で実行された操作が前記第１操作か前記第２操作かを判定する判定手段を有し、前記判定手段において、前記第１操作と判定された場合は前記連続頁送り制御を指示し、前記第２操作と判定された場合は次頁の画面に切換える次頁送り制御を指示し、前記制御手段は、前記指示手段の指示に基づいて前記連続頁送り制御または前記次頁送り制御のいずれかを実行するようにしてもよい。
【００９６】
また、前記操作手段の前記所定操作は、スイッチの作動操作によって実行され、前記判定手段は、前記作動操作が所定時間を超えない場合は前記第２操作と判定し、前記作動操作が所定時間以上継続する場合は前記第１操作と判定するようにしてもよい。
【００９７】
さらに、前記制御手段は、前記連続頁送り制御の実行中、前記所定パターン画像としてグレー画像を表示するようにしてもよいし、前記連続頁送り制御の実行中であることを認識できる表示を行なうようにしてもよい。
【００９８】
そしてまた、前記制御手段は、前記連続頁送り制御の実行中、前記カウント処理でカウントしている頁番号より頁送り方向に対して所定数進めた番号を表示するようにしてもよい。
【００９９】
さらに、前記電子画像表示システムは、前記表示手段と離れた場所から遠隔操作を行なう遠隔操作装置を有し、前記操作手段および前記復帰手段は前記遠隔操作装置に設けられてもよい。
【０１００】
本実施形態によれば、上述のとおり、連続頁送りの機能を設けたことにより、見たい画像を短時間で容易に探し出すことができる電子画像表示制御方法及び電子画像表示システムを提供することができる。
【０１０１】
また、連続頁送りの実行中に、各頁の画像データを表示することが無く連続頁送りが迅速に処理されるので、快適な操作性を有する電子画像表示制御方法及び電子画像表示システムを提供することができる。
【０１０２】
さらに、復帰手段の操作により、連続頁送り開始前に表示されていた画面を表示することができるので、当該画面の頁番号を覚えていなくても、簡単な操作で連続頁送り開始前の画面に戻ることができる。
【０１０３】
そしてまた、連続頁送りと次頁送りを一つの操作手段で操作可能としたことにより、部品点数を増やさずに多くの操作機能を有した電子画像表示制御方法及び電子画像表示システムを提供することができる。
【０１０４】
また、連続頁送りの実行中に、所定パターン画像（例えばグレー画像）や連続頁送り中であることを認識できる表示を行なうことにより、ユーザーは連続頁送りが実行中であることを容易に認識することができる。
【０１０５】
さらに、連続頁送りの実行中に、カウント処理されている頁番号よりも送り方向に対して先行した番号を画面上に連続表示することにより、ユーザーが行なう連続頁送りの終了操作時のボタン解放操作等の俊敏性に合わせて、ユーザーが見たい画像を的確に表示させることができる。
【０１０６】
そしてまた、連続頁送りや次頁送り等の操作を行なう操作手段を、リモートコントロール装置（リモコン）等の遠隔操作装置に設けたことにより、連続頁送りや次頁送りの画面を表示装置と離れた場所から確認しながら操作できるので、画面が見やすく操作性を向上させることができる。
【０１０７】
また、連続頁送りや次頁送り等の操作を行なう操作手段や連続頁送り開始前の画面に戻すための操作を行なう復帰手段を、リモートコントロール装置（リモコン）等の遠隔操作装置に設けたことにより、操作場所が限定されず、連続頁送りや次頁送りの画面を表示装置と離れた場所から確認しながら操作できるので、画面が見やすくなり操作性を向上させることができる。
【０１０８】
（第３の実施の形態）
次に、本発明の第３の実施形態について詳細に説明するが、上記本発明の第１の実施形態と同一部分には同一符号を付し、その説明は省略する。図１７乃至図１９は、本実施形態のサムネイル一覧表示画面（インデックスマルチ画面）の切換え方式の一例を示す説明図であり、ここでは、１２個の縮小画像（サムネイル）を含むサムネイル一覧表示画面が全部で１００頁とした場合の、１頁目、ｎ頁目、１００頁目のサムネイル一覧画面を示している。各画面の画像は複数個（図１７乃至図１９では１２個）単位でグループ分けされ、各グループ毎に管理するために頁番号が割当てられている。そして、リモートコントロール装置（リモコン）等の操作によって、所定の画面頁（グループ）を選択し、選択されたグループに対して、以下のような制御を行うことができる。
【０１０９】
本実施形態においては、サムネイル一覧表示画面を１画面づつ順次切換えて送る方式（次頁送り／順次頁送り）に加えて、サムネイル一覧表示画面を連続的に高速で切換えて送る方式（連続頁送り／高速頁送り）を設けている。なお、送り方向に対して最終頁（図１７乃至図１９では１００頁または１頁）になった場合は、先頭頁（図１７乃至図１９では１頁または１００頁）に戻る構成となっている。
【０１１０】
連続頁送り制御が実行されると、送られた画面頁番号は高速で切換わって表示されるが、送られた画面頁番号に割り当てられた（関連付けられた）画面のサムネイルは表示されずに、画面頁を連続的に切換えて送る構成である。従って、連続頁送りの実行中は、各画面に含まれる複数のサムネイルを再生・表示するための作業を行う必要がなくなり、作業時間が短縮化されるので、スムーズで迅速な頁送りを実現することができ、快適な検索操作が可能となる。
【０１１１】
なお、サムネイル一覧表示画面（グループ）の総頁数が所定数より少ない場合、連続頁送りを実行してしまうと、所望の頁は瞬時に通過してしまうこととなり、却って不便なものとなってしまう怖れがある。そこで、本実施形態では、画面（グループ）の総頁数が所定数より少ない場合は、連続頁送りは実行せずに、次頁送りを実行する構成にして、使い勝手を向上させている。ここで、連続頁送りの実行を不可とする所定の総頁数については、連続頁送りの速度等から適当な値を選定することができるが、本実施形態では、例えば、画面（グループ）の総頁数が４枚以上の時にのみ連続頁送りを実行可能としている。
【０１１２】
また、切換わった頁番号に対応する画面のサムネイルを表示させない代わりに、連続頁送りの指示操作前の画面のサムネイルを表示させた状態を維持してもよいし、各サムネイルに対応する場所に予め決められた所定パターン画像（例えばグレー画像等の単色画像など）を表示させてもよい。このように、予め決められた所定パターン画像を表示させる制御方法であれば、次頁送りまたは連続頁送りのいずれが実行中であるかを、ユーザーに認識させることができる。
【０１１３】
さらに、連続頁送り制御の実行中に、画面上に「ページ送り」等の表示を行う方法によっても、連続頁送りが実行中であることをユーザーに対して容易に認識させることができる。このような報知表示を行なえば、切換わった画面の画像（サムネイル）が表示されず、連続頁送りの指示操作前のサムネイル一覧表示画面の画像の表示が維持されている場合であっても、ユーザーの不安を解消することができる。
【０１１４】
連続頁送り制御の実行中は、切換わった画面のサムネイルが表示されないため、画像の確認はできないが、見たい画像が含まれるおおよその画面頁番号はユーザーが過去に操作した時の記憶等で認識できる場合が多い。従って、実際の操作では、例えば、連続頁送りによって所望の画面頁の近くまで送り、その画面頁から次頁送りによって画像を確認しながら画面頁を送り、所望の画像に到達するような操作を行なうことが可能となる。とりわけ、例えば千枚程度の画像データからサムネイル表示を用いて所望の画像をいち早くサーチしたい場合等には、非常に有効な手法である。
【０１１５】
一方、このような連続頁送りの操作においては、次のような課題もある。すなわち、所望の画面頁で連続頁送りを停止する場合、停止したい頁の画面で停止操作を行なうことになるが、停止操作を行なってから実際に停止するまでにタイムラグが存在するので、その間に頁がカウントされてしまい、実際に停止した頁は所望の頁よりも頁送り方向に対して進んだ頁になってしまう。
【０１１６】
このタイムラグが存在しうる一例として、例えばリモコンの送り／戻しボタンを押し続けることによって連続頁送りを実行し、ボタンを押し続けることを止めることで連続頁送りを停止するような操作が、事例として挙げられる。このとき人間は、瞬間的に力を入れる動作よりも、瞬間的に入れていた力を抜く動作の方がより俊敏性に欠けるため、タイムラグが存在することになる。
【０１１７】
よって、本実施形態では、このような不具合を解消するために、連続頁送り制御の実行中に表示する画面頁番号を、カウントされている番号から頁送り方向に対して所定頁数進めた番号としている。すなわち、頁送り方向がカウントアップする方向であれば、カウントされている頁番号に所定数を加算した頁番号が表示されることとなり、カウントダウンする方向であれば、カウントされている頁番号から所定数を減算した頁番号が表示されることとなる。
【０１１８】
このような構成とすることにより、実際に連続頁送りが停止する画面頁をユーザの所望の画面頁に一致させることができる。なお、どれくらい送り／戻し方向に進めた頁番号を表示させるかは、テスト等を行って適当な値を決めるようにすればよいが、本実施形態では例えば１頁進めた番号を表示するようにしている。
【０１１９】
図２０に、本実施形態のテレビジョン受像機のブロック図を示す。まず、テレビジョン受像機の一般的な構成として、テレビ放送信号を受信する受信部１、映像処理を行なう映像処理部２、音声処理を行なう音声処理部３、映像を表示する表示部４、音声を出力するスピーカー５、連続頁送り、次頁送り等を含む全体の制御を行なうマイコン６、ＲＯＭ７、テレビジョン受像機の遠隔操作を行なうリモートコントロール装置（リモコン）８、リモコン８からの送信を受信する受光部９等から構成される。
【０１２０】
本実施形態では、更にデジタルカメラ等で撮影された画像データが記録されているメモリカード等の外部メモリを挿入するカードスロット１０、メモリカード等に記録された画像データを読み取る外部メモリ制御部１１、受信部１と外部メモリ制御部１１との切替えを選択的に行い、どちらかの出力信号を映像処理部２、音声処理部３に伝送する切替部１２を有している。
【０１２１】
図２１に、本実施形態におけるリモコン８の外観構成図を示す。リモコン８は、テレビジョン受像機の電源のオン・オフを指示入力する電源ボタン１３、メニュー画面の表示を指示入力するメニューボタン１４、テレビジョン受像機の入力切換を行なう入力切換ボタン１５、「１」〜「１２」のキーで構成されたチャンネル選局ボタン１６、表示部４に表示される画面の操作を行なう操作ボタン１７等で構成される。
【０１２２】
メモリカード等に記録された画像を表示部４に表示させる手順を図２２のフローチャート、図２３の表示部４の画面に基づいて説明する。図２２において、まず、電源ボタン１３を押して電源をオンにして（Ｓ１）、メニューボタン１４を押す（Ｓ２）と、図２３のメニュー１８が表示される（Ｓ３）。操作ボタン１７の上下左右方向を指示する方向指示ボタン１７ａ、１７ｂ、１７ｃ、１７ｄにより、表示部４に表示されたメニュー１８内の項目の選択を行なうことができ、真中に配置された決定ボタン１７ｅにより選択された項目の決定を行なうことができる。
【０１２３】
操作ボタン１７により、図７のメニュー１８の「カード設定」を選択、決定すると、メニュー１９がサブメニュー画面として表示される。ここで、メニュー１９の「静止画設定」を選択、決定することによって（Ｓ４）、静止画モードとなり、切替部１２を介してメモリカード等の画像の表示を行なうことができる（Ｓ５）。なお、リモコン８の入力切換ボタン１５を押して、「カード設定」のモードを選択することもできる。
【０１２４】
次に、画像の表示制御操作について、図２４のフローチャートに基づいて説明する。図２４において、まず、表示部４の画面上で「１画面表示」を行うか「サムネイル表示」を行うかを選択することができる（Ｓ１１）。「サムネイル表示」を選択、決定すると、外部メモリ制御部１１、マイコン６で、各画像データが複数個の単位でグループ化され、複数のグループを管理するために各グループに画面頁番号を割り当てる画像管理の処理が行なわれ、次いで所定の画面頁番号が選択されてサムネイルの一覧表示画面が表示される（Ｓ１２）。
【０１２５】
さらに、方向指示ボタン１７ｄを押すと（Ｓ１３）、押されている時間を計測する計測タイマが作動し（Ｓ１４）、計測時間が所定時間以上になると（Ｓ１５）、グループの総頁数が所定数以上の場合に連続頁送り制御が実行され（Ｓ１６）、送られた頁番号に対応する画面のサムネイルは表示されずに、頁番号が連続的にカウント処理されて、カウントされた頁番号よりも頁送り方向に対して例えば一頁先行した頁番号が表示される（Ｓ１７）。なお、前述したように、連続頁送りを指示する操作前の画面に含まれるサムネイル表示を維持したままにしてもよいし、サムネイルの代わりに予めＲＯＭ７に記憶されたグレー画像等を読み込んで表示させても良いし、「ページ送り」等の報知表示を併せて行なってもよい。
【０１２６】
Ｓ１８で方向指示ボタン１７ｄが押されているか否かが判定され、方向指示ボタン１７ｄが継続して押されている間は連続頁送り制御の実行が継続され、方向指示ボタン１７ｄの押下が停止されると連続頁送り制御は終了し、その時点で最後にカウントされた頁番号を表示し、その頁番号に対応する画面のサムネイルを再生・表示する（Ｓ１９）。
【０１２７】
Ｓ１５、Ｓ２０にて、計測時間が所定時間より短いと判断された場合、または、グループの総頁数が所定数より少ないと判断された場合は（Ｓ１６）、次頁送り制御が実行され、次頁の頁番号とサムネイルとが画面内に表示される（Ｓ２１）。
【０１２８】
このように、方向指示ボタン１７ｄの操作だけで、連続頁送りと次頁送りとの両方の指示操作を行うことが可能であるため、操作ボタンの数を増やすことなく、操作部を小型化することができる。勿論、次頁送り（順次頁送り）のための操作ボタンと連続頁送り（高速頁送り）のための操作ボタンとを個別に設けてもかまわない。
【０１２９】
なお、Ｓ１１にて、「１画面表示」が選択、決定された場合は、１つの画像が１画面に表示され（Ｓ２２）、その後の頁送りは、Ｓ１３〜Ｓ２１のフローと同様の操作で行なうことができる。また、例えば方向指示ボタン１７ｃが押された場合は、画面頁が戻る方向に頁送り操作が行なわれる構成であり、その際もＳ１３〜Ｓ２１のフローと同様の操作で行なうことができる。なお、各操作ボタンは、テレビジョン受像機本体に設けてもよいことは言うまでもない。
【０１３０】
また、上記の説明は、本発明をテレビジョン装置に適用した例であるが、本発明はこれに限定されるものではなく、電子カメラや電子ブック装置などのように、電子化された画像の表示制御を行なうことが可能な画像表示装置の全てに適用することが可能である。
【０１３１】
さらに、サムネイル一覧表示画面（インデックスマルチ画面）に表示する画像データは、外部のメモリカードから読み出したものに限らず、内蔵のメモリや記憶媒体に格納されている画像データや、ネットワーク等を介して外部より取得可能な画像データであっても良いことは明らかである。また、サムネイル一覧表示画面（インデックスマルチ画面）に表示する画像の種類としては、静止画像に限らず、動画像やテキストなどを含む種々の画像であってもよい。
【０１３２】
以上のように、本実施形態にかかる電子画像表示制御方法は、複数の電子化された画像をグループ分けし、各グループを頁単位で管理するための頁番号を割り当て、前記グループの総頁数を記憶する画像管理工程と、所定操作を実行する操作工程と、前記操作工程の操作に応答して、所定の制御を指示する指示工程と、前記指示工程の指示に応答して、各グループに対し割り当てられた頁番号と記憶もしくは記録された所定画像を表示する制御工程とを有し、前記指示工程で指示された前記所定の制御が連続頁送り制御で、かつ、前記グループの総頁数が所定数以上の場合、前記制御工程は、前記頁番号のカウント処理を行い、前記カウント処理に基づいた頁番号を連続的に表示するとともに、前記所定画像として当該頁番号に関連付けされた電子化された画像以外の所定パターン画像を表示するものである。
【０１３３】
また、前記画像管理工程は、前記各グループが複数の電子化された画像を含むようにグループ分けするようにしてもよいし、前記各グループが１つの電子化された画像を含むようにグループ分けするようにしてもよい。
【０１３４】
さらに、前記操作工程では、第１操作または第２操作のいずれかが実行され、前記指示工程は、前記操作工程で実行された操作が前記第１操作か前記第２操作かを判定する判定工程を有し、前記連続頁送り制御または次頁の画面に切換える次頁送り制御を指示し、前記グループの総頁数が前記所定数以上の場合、前記指示工程は、前記判定工程において前記第１操作と判定されたときは前記連続頁送り制御を指示し、前記第２操作と判定されたときは前記次頁送り制御を指示し、前記制御工程は、前記指示工程の指示に基づいて前記連続頁送り制御または前記次頁送り制御のいずれかを実行し、前記グループの総頁数が前記所定数より少ない場合、前記制御工程は、前記操作工程での操作が実行されたとき、前記判定工程の判定結果が前記第１操作または前記第２操作であるかにかかわらず、前記次頁送り制御を実行するようにしてもよい。
【０１３５】
そしてまた、前記操作工程の前記所定操作は、スイッチの作動操作によって実行され、前記判定工程は、前記作動操作が所定時間を超えない場合は前記第２操作と判定し、前記作動操作が所定時間以上継続する場合は前記第１操作と判定するようにしてもよい。
【０１３６】
また、前記制御工程は、前記連続頁送り制御の実行中、前記所定パターン画像としてグレー画像を表示するようにしてもよいし、前記連続頁送り制御の実行中、連続頁送り中であることを認識できる表示を行なうようにしてもよい。
【０１３７】
さらに、前記制御工程は、前記連続頁送り制御の実行中、前記カウント処理でカウントしている頁番号より頁送り方向に対して所定数進めた番号を表示するようにしてもよい。
【０１３８】
同様に、本実施形態にかかる電子画像表示システムは、表示手段と、記録又は記憶媒体に保存された複数の電子化された画像を読取る読取手段と、前記読取手段で読取った画像をグループ分けし、各グループを頁単位で管理するための頁番号を割り当て、前記グループの総頁数を記憶する画像管理手段と、所定操作が実行される操作手段と、前記操作手段の操作に応答して、所定の制御を指示する指示手段と、前記指示手段の指示に応答して、各グループに対し割り当てられた頁番号と記憶もしくは記録された所定画像を前記表示手段に表示する制御手段とを有し前記指示手段で指示された前記所定の制御が連続頁送り制御で、かつ、前記グループの総頁数が所定数以上の場合、前記制御手段は、前記頁番号のカウント処理を行い、前記カウント処理に基づいた頁番号を連続的に表示するとともに、前記所定画像として当該頁番号に関連付けされた電子化された画像以外の所定パターン画像を表示するものである。
【０１３９】
また、前記電子画像表示システムは、テレビジョン放送信号を受信する受信手段と、前記読取手段からの画像信号または前記受信手段からの画像信号のいずれかを前記表示手段へ伝送するように切替を行なう切替手段と、前記指示手段の指示に基づいて、前記読取手段からの画像信号を前記表示手段へ伝送するように前記切替手段を制御する切替制御手段とを備えたものである。
【０１４０】
さらに、前記画像管理手段は、前記各グループが複数の電子化された画像を含むようにグループ分けするようにしてもよいし、前記各グループが１つの電子化された画像を含むようにグループ分けするようにしてもよい。
【０１４１】
そしてまた、前記操作手段の前記所定操作として、第１操作または第２操作が実行され、前記指示手段は、前記操作手段で実行された操作が前記第１操作か前記第２操作かを判定する判定手段を有し、前記連続頁送り制御または次頁の画面に切換える次頁送り制御を指示し、前記グループの総頁数が前記所定数以上の場合、前記指示手段は、前記判定手段において前記第１操作と判定されたときは前記連続頁送り制御を指示し、前記第２操作と判定されたときは前記次頁送り制御を指示し、前記制御手段は、前記指示手段の指示に基づいて前記連続頁送り制御または前記次頁送り制御のいずれかを実行し、前記グループの総頁数が前記所定数より少ない場合、前記制御手段は、前記操作手段での操作が実行されたとき、前記判定手段の判定結果が前記第１操作または前記第２操作であるかにかかわらず、前記次頁送り制御を実行するようにしてもよい。
【０１４２】
また、前記操作手段の前記所定操作は、スイッチの作動操作によって実行され、前記判定手段は、前記作動操作が所定時間を超えない場合は前記第２操作と判定し、前記作動操作が所定時間以上継続する場合は前記第１操作と判定するようにしてもよい。
【０１４３】
さらに、前記制御手段は、前記連続頁送り制御の実行中、前記所定パターン画像としてグレー画像を表示するようにしてもよいし、前記連続頁送り制御の実行中、連続頁送り中であることを認識できる表示を行なうようにしてもよい。
【０１４４】
そしてまた、前記制御手段は、前記連続頁送り制御の実行中、前記カウント処理でカウントしている頁番号より頁送り方向に対して所定数進めた番号を表示するようにしてもよい。
【０１４５】
また、前記電子画像表示システムは、前記表示手段と離れた場所から遠隔操作を行なう遠隔操作装置を有し、前記操作手段は前記遠隔操作装置に設けられてもよい。
【０１４６】
本実施形態によれば、上述のとおり、連続頁送りの機能を設けたことにより、見たい画像を短時間で容易に探し出すことができる電子画像表示制御方法及び電子画像表示システムを提供することができる。
【０１４７】
また、連続頁送りの実行中に、各頁の画像データを表示することが無く連続頁送りが迅速に処理されるので、快適な操作性を有する電子画像表示制御方法及び電子画像表示システムを提供することができる。
【０１４８】
さらに、グループの総頁数が所定数以上の場合のみ、連続頁送りを実行することにより、グループの総頁数が少ないために所望の頁が瞬時に通過してしまうという不便さを解消した電子画像表示制御方法及び電子画像表示システムを提供することができる。
【０１４９】
そしてまた、連続頁送りと次頁送りを一つの操作手段で操作可能としたことにより、部品点数を増やさずに多くの操作機能を有した電子画像表示制御方法及び電子画像表示システムを提供することができる。
【０１５０】
また、連続頁送りの実行中に、所定パターン画像（例えばグレー画像）や連続頁送り中であることを認識できる表示を行なうことにより、ユーザーは連続頁送りが実行中であることを容易に認識することができる。
【０１５１】
さらに、連続頁送りの実行中に、カウント処理されている頁番号よりも送り方向に対して先行した番号を画面上に連続表示することにより、ユーザーが行なう連続頁送りの終了操作時のボタン解放操作等の俊敏性に合わせて、ユーザーが見たい画像を的確に表示させることができる。
【０１５２】
そしてまた、連続頁送りや次頁送り等の操作を行なう操作手段を、リモートコントロール装置（リモコン）等の遠隔操作装置に設けたことにより、操作場所が限定されず、連続頁送りや次頁送りの画面を表示装置と離れた場所から確認しながら操作できるので、画面が見やすくなり操作性を向上させることができる。
【図面の簡単な説明】
【０１５３】
【図１】本発明の第１の実施の形態にかかるサムネイル一覧表示画面を示す説明図である。
【図２】本発明の第１の実施の形態にかかるサムネイル一覧表示画面を示す説明図である。
【図３】本発明の第１の実施の形態にかかるサムネイル一覧表示画面を示す説明図である。
【図４】本発明の第１の実施の形態にかかるテレビジョン装置を示すブロック図である。
【図５】本発明の第１の実施の形態にかかるテレビジョン装置のリモートコントロール装置を示す外観構成図である。
【図６】本発明の第１の実施の形態にかかるテレビジョン装置の画面操作を示すフローチャートである。
【図７】本発明の第１の実施の形態にかかるテレビジョン装置の操作メニュー画面を示す説明図である。
【図８】本発明の第１の実施の形態にかかるテレビジョン装置の画像再生表示操作を示すフローチャートである。
【図９】本発明の第２の実施の形態にかかるサムネイル一覧表示画面を示す説明図である。
【図１０】本発明の第２の実施の形態にかかるサムネイル一覧表示画面を示す説明図である。
【図１１】本発明の第２の実施の形態にかかるサムネイル一覧表示画面を示す説明図である。
【図１２】本発明の第２の実施の形態にかかるテレビジョン装置を示すブロック図である。
【図１３】本発明の第２の実施の形態にかかるテレビジョン装置のリモートコントロール装置を示す外観構成図である。
【図１４】本発明の第２の実施の形態にかかるテレビジョン装置の画面操作を示すフローチャートである。
【図１５】本発明の第２の実施の形態にかかるテレビジョン装置の操作メニュー画面を示す説明図である。
【図１６】本発明の第２の実施の形態にかかるテレビジョン装置の画像再生表示操作を示すフローチャートである。
【図１７】本発明の第３の実施の形態にかかるサムネイル一覧表示画面を示す説明図である。
【図１８】本発明の第３の実施の形態にかかるサムネイル一覧表示画面を示す説明図である。
【図１９】本発明の第３の実施の形態にかかるサムネイル一覧表示画面を示す説明図である。
【図２０】本発明の第３の実施の形態にかかるテレビジョン装置を示すブロック図である。
【図２１】本発明の第３の実施の形態にかかるテレビジョン装置のリモートコントロール装置を示す外観構成図である。
【図２２】本発明の第３の実施の形態にかかるテレビジョン装置の画面操作を示すフローチャートである。
【図２３】本発明の第３の実施の形態にかかるテレビジョン装置の操作メニュー画面を示す説明図である。
【図２４】本発明の第３の実施の形態にかかるテレビジョン装置の画像再生表示操作を示すフローチャートである。
【図２５】従来のサムネイル切換え画面例を示す説明図である。
【図２６】従来のサムネイル切換え画面例を示す説明図である。
【符号の説明】
【０１５４】
１  受信部
２  映像処理部
３  音声処理部
４  表示部
５  スピーカー
６  マイコン
７  ＲＯＭ
８  リモートコントロール装置
９  受光部
１０  カードスロット
１１  外部メモリ制御部
１２  切替部
１３  電源ボタン
１４  メニューボタン
１５  入力切換ボタン
１６  チャンネル選局ボタン
１７  操作ボタン
１７ａ  方向指示ボタン
１７ｂ  方向指示ボタン
１７ｃ  方向指示ボタン
１７ｄ  方向指示ボタン
１７ｅ  決定ボタン
１８    メニュー
１９    メニュー
２８  戻るボタン
【図１】
2005275362.tif 000003
【図２】
2005275362.tif 000004
【図３】
2005275362.tif 000005
【図４】
2005275362.tif 000006
【図５】
2005275362.tif 000007
【図６】
2005275362.tif 000008
【図７】
2005275362.tif 000009
【図８】
2005275362.tif 000010
【図９】
2005275362.tif 000011
【図１０】
2005275362.tif 000012
【図１１】
2005275362.tif 000013
【図１２】
2005275362.tif 000014
【図１３】
2005275362.tif 000015
【図１４】
2005275362.tif 000016
【図１５】
2005275362.tif 000017
【図１６】
2005275362.tif 000018
【図１７】
2005275362.tif 000019
【図１８】
2005275362.tif 000020
【図１９】
2005275362.tif 000021
【図２０】
2005275362.tif 000022
【図２１】
2005275362.tif 000023
【図２２】
2005275362.tif 000024
【図２３】
2005275362.tif 000025
【図２４】
2005275362.tif 000026
【図２５】
2005275362.tif 000027
【図２６】
2005275362.tif 000028